(57)【要約】【課題】音声信号または映像信号を伝送するケーブルを利用して、人目を引く演出を行うことができる電子機器を提供する。【解決手段】音声信号を伝送する音声ケーブル６、７が接続され、音声信号の入出力を行うＬｃｈ入力端子７２を備え、音声ケーブル６、７は、入光を受けて発光可能に構成され、Ｌｃｈ入力端子７２は、接続された音声ケーブル６、７に光を入光して、音声ケーブル６、７を発光させるＬＥＤ８２を、有する。【選択図】図５
2016058278.tif 000002
【特許請求の範囲】
【請求項１】
音声信号または映像信号を伝送するケーブルが接続され、前記音声信号または前記映像信号の入出力を行う入出力端子を備え、
前記ケーブルは、入光を受けて発光可能に構成され、
前記入出力端子は、接続された前記ケーブルに光を入光して、前記ケーブルを発光させる光源部を有することを特徴とする電子機器。
【請求項２】
前記入出力端子に前記ケーブルが接続されているか否かを判定する判定部を更に備え、
前記判定部により、前記入出力端子に前記ケーブルが接続されていないと判定された場合、前記光源部を発光させないことを特徴とする請求項１に記載の電子機器。
【請求項３】
前記ケーブルは、入光を受けて発光する光導波路を有し、
前記光源部は、前記光導波路に、前記光を入光することを特徴とする請求項１または２に記載の電子機器。
【請求項４】
前記光導波路は、複数本の光ファイバーで構成されていることを特徴とする請求項３に記載の電子機器。
【請求項５】
前記入出力端子は、ＲＣＡ端子、ＸＬＲ端子、フォーン端子、Ｄ端子、Ｓ端子、ＨＤＭＩ端子、同軸端子のいずれかであることを特徴とする請求項１ないし４のいずれか１項に記載の電子機器。
【請求項６】
前記入出力端子は、ＲＧＢ端子、コンポーネント端子およびコンポジット端子のいずれかであることを特徴とする請求項１ないし５のいずれか１項に記載の電子機器。
【請求項７】
音声信号または映像信号を伝送するケーブルと、前記ケーブルが接続される電子機器と、から成る電子機器システムであって、
前記電子機器は、前記ケーブルが接続され、前記音声信号または前記映像信号の入出力を行う入出力端子を備え、
前記ケーブルは、入光を受けて発光可能に構成され、
前記入出力端子は、接続された前記ケーブルに光を入光して、前記ケーブルを発光させる光源部を有することを特徴とする電子機器システム。
【請求項８】
請求項７に記載の電子機器システムに用いられることを特徴とするケーブル。
【発明の詳細な説明】
【技術分野】
【０００１】
本発明は、ケーブルが接続される入出力端子を備えた電子機器、電子機器システムおよびケーブルに関するものである。
【背景技術】
【０００２】
従来、この種の電子機器として、ダンスクラブ等で、ディスクジョッキー（以下、ＤＪ）が使用するミキシング装置が知られている（特許文献１参照）。
このミキシング装置は、筐体部と、上面パネルと、操作部と、フットと、入出力端子と、を備えている。この入出力端子は、コネクタケーブルが接続され、コネクタケーブルを介して、オーディオ信号を再生する光ディスク生成装置に電気的に接続される。そして、光ディスク生成装置から出力されたオーディオ信号は、コネクタケーブルを介して当該入出力端子に入力され、ミキシング装置は、この入力されたオーディオ信号をミキシング処理して、他の装置に出力する。
【先行技術文献】
【特許文献】
【０００３】
【特許文献１】特開２００７−３５０９０号公報
【発明の概要】
【発明が解決しようとする課題】
【０００４】
ところで、上記ミキシング装置は、ＤＪプレイというパフォーマンスに用いられるものである。このＤＪプレイは、ＤＪが人前で行うものであるため、このＤＪプレイを、より人目を引く形で行いたいという要請がある。これに対し、大型ディスプレイや照明器具を用意し、ＤＪプレイに合わせた各種演出を行うものがある。
しかしながら、演出を行う方法として、音声ケーブルを利用するものは存在しなかった。そのため、音声ケーブルを、この種の演出に寄与させることができなかった。
【０００５】
本発明は、音声信号または映像信号を伝送するケーブルを利用して、人目を引く演出を行うことができる電子機器、電子機器システムおよびケーブルを提供することを課題としている。
【課題を解決するための手段】
【０００６】
本発明の電子機器は、音声信号または映像信号を伝送するケーブルが接続され、音声信号または映像信号の入出力を行う入出力端子を備え、ケーブルは、入光を受けて発光可能に構成され、入出力端子は、接続されたケーブルに光を入光して、ケーブルを発光させる光源部を有することを特徴とする。
【０００７】
この場合、入出力端子にケーブルが接続されているか否かを判定する判定部を更に備え、判定部により、入出力端子にケーブルが接続されていないと判定された場合、光源部を発光させないことが好ましい。
【０００８】
一方、ケーブルは、入光を受けて発光する光導波路を有し、光源部は、光導波路に、光を入光することが好ましい。
【０００９】
この場合、光導波路は、複数本の光ファイバーで構成されていることが好ましい。
【００１０】
また、入出力端子は、ＲＣＡ端子、ＸＬＲ端子、フォーン端子、Ｄ端子、Ｓ端子、ＨＤＭＩ（High-Definition  Multimedia  Interface）端子、同軸端子のいずれかであることが好ましい。
【００１１】
さらに、入出力端子は、ＲＧＢ端子、コンポーネント端子およびコンポジット端子のいずれかであることが好ましい。
【００１２】
本発明の電子機器システムは、音声信号または映像信号を伝送するケーブルと、ケーブルが接続された電子機器と、から成る電子機器システムであって、電子機器は、ケーブルが接続され、音声信号または映像信号の入出力を行う入出力端子を備え、ケーブルは、入光を受けて発光可能に構成され、入出力端子は、接続されたケーブルに光を入光して、ケーブルを発光させる光源部を有することを特徴とする。
【００１３】
本発明のケーブルは、上記の電子機器システムに用いられることを特徴とする。
【図面の簡単な説明】
【００１４】
【図１】本発明の一実施形態にかかる音声出力システムを示したシステム構成図である。
【図２】ＤＪミキサーの制御構成を示したブロック図である。
【図３】（ａ）は、第１音声ケーブルおよび第２音声ケーブルを示した側面図であり、（ｂ）は、Ｌｃｈコネクタを示した正面図であり、（ｃ）は、Ｌｃｈコネクタを示した側面図であり、（ｄ）は、Ｌｃｈコネクタを示した斜視図である。
【図４】（ａ）は、第１音声入力部および第２音声入力部廻りを示したＤＪミキサーの背面図であり、（ｂ）は、Ｌｃｈ入力端子を示した背面図であり、（ｃ）は、Ｌｃｈ入力端子を示したＡ‐Ａ´線断面図である。
【図５】（ａ）は、Ｌｃｈ入力端子並びに、Ｌｃｈ入力端子にＬｃｈコネクタを接続した第１音声ケーブルおよび第２音声ケーブルを示した側面図である。（ｂ）は、発光動作時の、Ｌｃｈ入力端子並びに、Ｌｃｈ入力端子にＬｃｈコネクタを接続した第１音声ケーブルおよび第２音声ケーブルを示した側面図である。
【発明を実施するための形態】
【００１５】
以下、添付図面を参照し、本発明の一実施形態に係る電子機器、電子機器システムおよびケーブルについて説明する。実施形態では、本発明の電子機器を適用したＤＪミキサーおよび、これを備えた音声出力システムを例示する。この音声出力システムは、ユーザーがＤＪプレイ（ＤＪパフォーマンス）を行うためのシステムである。特に、本音声出力システムは、音声ケーブル（後述の第１音声ケーブルおよび第２音声ケーブル）を利用して、人目に引く演出を行う機能を有したものである。
【００１６】
図１に示すように、音声出力システムＳＹは、音声信号を再生する第１ＤＪプレイヤー１および第２ＤＪプレイヤー２と、第１ＤＪプレイヤー１および第２ＤＪプレイヤー２により再生された音声信号をミックスするＤＪミキサー３と、ミックスされた音声信号を外部出力（放音）する音声出力装置４と、を備えている。また、音声出力システムＳＹは、第１ＤＪプレイヤー１とＤＪミキサー３とを接続する第１音声ケーブル６（ケーブル）と、第２ＤＪプレイヤー２とＤＪミキサー３とを接続する第２音声ケーブル７（ケーブル）と、ＤＪミキサー３と音声出力装置４とを接続する第３音声ケーブル８と、を備えている。第３音声ケーブル８は、一般的なＲＣＡケーブルで構成されている。一方、詳細は後述するが、第１音声ケーブル６および第２音声ケーブル７は、一般的なＲＣＡケーブルに、入光を受けて発光する構成を付加したものである。なお、請求項にいう「電子機器システム」は、電子機器であるＤＪミキサー３と、ＤＪミキサー３に接続された第１音声ケーブル６および第２音声ケーブル７と、により構成されている。
【００１７】
第１ＤＪプレイヤー１および第２ＤＪプレイヤー２は、ＣＤ、ＵＳＢメモリー、ＳＤメモリーカードなどの外部記憶媒体、またはハードディスクなどの内部記憶媒体から楽曲を読み出して再生する。すなわち、各ＤＪプレイヤー１、２は、上記記憶媒体から楽曲を読み出し、楽曲の音響データを音声信号としてＤＪミキサー３に出力する。より言えば、各ＤＪプレイヤー１、２は、音声出力部１１を有し、第１ＤＪプレイヤー１は、その音声出力部１１に接続した第１音声ケーブル６を介して、ＤＪミキサー３に音声信号を出力する。一方、第２ＤＪプレイヤー２は、その音声出力部１１に接続した第２音声ケーブル７を介して、ＤＪミキサー３に音声信号を出力する。また、各ＤＪプレイヤー１、２は、ジョグダイヤル１２およびピッチコントローラー１３を含む各種操作子を有し、楽曲の再生操作を可能としている。
【００１８】
音声出力装置４は、増幅器であるアンプ１６と、アンプ１６に接続された１台以上のスピーカー１７（図示では、２台）と、を有している。音声出力装置４は、ＤＪミキサー３から入力された音声信号を、アンプ１６により増幅した後、増幅した音声信号をスピーカー１７から外部出力（放音）する。
【００１９】
図１および図２に示すように、ＤＪミキサー３は、操作部２１と、第１音声入力部２２と、第２音声入力部２３と、音声処理部２４と、音声出力部２５と、これらを制御する制御部２６と、を有している。
【００２０】
操作部２１は、イコライザーつまみ３１、チャンネルフェーダー３２、クロスフェーダー３３等の各種操作子を有し、ミキシング操作を行うためのものである。
【００２１】
第１音声入力部２２は、第１音声ケーブル６が接続され、第１ＤＪプレイヤー１からの音声信号の入力を行う。第２音声入力部２３は、第２音声ケーブル７が接続され、第２ＤＪプレイヤー２からの音声信号の入力を行う。また、詳細は後述するが、第１音声入力部２２および第２音声入力部２３は、光源部となる４つのＬＥＤ８２を有し、接続された第１音声ケーブル６および第２音声ケーブル７に対し、光を入光して発光させる機能を有している。第１音声入力部２２および第２音声入力部２３の詳細については、後述する。
【００２２】
音声処理部２４は、各ＤＪプレイヤー１、２からの音声信号に対し、ミックス処理を含む各種音声処理を行う。音声出力部２５は、第３音声ケーブル８が接続され、音声処理部２４による音声処理済みの音声信号を、音声出力部２５に出力する。
【００２３】
制御部２６は、ＣＰＵ（Central  Processing  Unit）３６、ＲＯＭ（Read  Only  Memory）３７、ＲＡＭ（Random  Access  Memory）３８等を有し、ＤＪミキサー３全体を統括制御している。ＣＰＵ３６は、中央処理装置であり、各種演算処理を行う。ＲＯＭ３７は、ＣＰＵ３６が各種演算処理を行うための制御プログラムを記憶し、ＲＡＭ３８は、ＣＰＵ３６が各種演算処理を行う際のワークエリアとして用いられる。詳細は後述するが、制御部２６は、第１音声入力部２２および第２音声入力部２３に設けられた後述の各ＬＥＤ８２を個々に制御可能に構成されており、これによって、第１音声ケーブル６および第２音声ケーブル７の発光制御を行うことができる。
【００２４】
次に図１、図３ないし図５を参照して、第１音声ケーブル６および第２音声ケーブル７並びに、これらを接続するＤＪミキサー３の第１音声入力部２２および第２音声入力部２３について説明する。まず、第１音声ケーブル６および第２音声ケーブル７について説明する。図１に示すように、第１音声ケーブル６は、第１ＤＪプレイヤー１とＤＪミキサー３とを接続しており、第１ＤＪプレイヤー１から出力された音声信号をＤＪミキサー３に伝送する。一方、第２音声ケーブル７は、第２ＤＪプレイヤー２とＤＪミキサー３とを接続しており、第２ＤＪプレイヤー２から出力された音声信号をＤＪミキサー３に伝送する。
【００２５】
図３（ａ）は、第１音声ケーブル６および第２音声ケーブル７を示した側面図である。第１音声ケーブル６および第２音声ケーブル７は、同一の構造を有しているため、単一の図で両音声ケーブル６、７を示している。図３（ａ）に示すように、両音声ケーブル６、７は、ケーブル本体４１と、ケーブル本体４１の両端に設けられたＲｃｈコネクタ４２と、同じくケーブル本体４１の両端に設けられたＬｃｈコネクタ４３と、を有している。
【００２６】
ケーブル本体４１は、Ｒｃｈの音声信号を伝送するＲｃｈのＲＣＡケーブル５１と、Ｌｃｈの音声信号を伝送するＬｃｈのＲＣＡケーブル５２と、両ＲＣＡケーブル５１、５２に巻き付けられた４本の光ファイバーケーブル５３と、これらを覆う透明または半透明のケーブルカバー５４と、を有している。４本の光ファイバーケーブル５３は、螺旋状に且つ所定の順番で代わる代わる巻き付けられている。
【００２７】
各光ファイバーケーブル５３は、複数本の光ファイバー（光導波路）を有するものであり、各光ファイバーケーブル５３は、当該光ファイバーが、外部から見えるように構成されている。一方、各光ファイバーは、入光した光が全反射せず、入光した光の一部が外部に漏れるようになっており、光を入光すると、光ファイバー全体が発光するように構成されている。よって、各光ファイバーに、光が入光すると、光ファイバーケーブル５３全体が発光するようになっている。これによって、第１音声ケーブル６および第２音声ケーブル７が、入光を受けて発光可能に構成されている。各光ファイバーケーブル５３は、第１音声ケーブル６および第２音声ケーブル７の長さ方向全域に延在しているため、第１音声ケーブル６および第２音声ケーブル７は、その長さ方向全域で、外部から見えるように発光する。
【００２８】
各Ｒｃｈコネクタ４２は、ケーブル本体４１から引き出されたＲｃｈのＲＣＡケーブル５１が接続されたＲＣＡプラグ（ピンプラグ）で構成されている。
【００２９】
一方、図３（ｂ）ないし（ｄ）に示すように、各Ｌｃｈコネクタ４３は、ＬｃｈのＲＣＡケーブル５２が接続されたＲＣＡプラグ６１（ピンプラグ）と、当該ＲＣＡプラグ６１を支持すると共に、４本の光ファイバーケーブル５３の端部を支持する方形の支持板６２と、これらを覆う透明且つ角筒状のコネクタカバー６３と、コネクタカバー６３の内部を区画する複数の仕切り板６４と、を有している。ＲＣＡプラグ６１は、支持板６２の中央に支持されており、各光ファイバーケーブル５３の端部は、支持板６２の四隅に支持されている。一方、仕切り板６４は、コネクタカバー６３と共に、各光ファイバーケーブル５３の端部を囲うように配設されている。この仕切り板６４は、不透明材料で構成されており、この仕切り板６４によって、１の光ファイバーケーブル５３に入光する光が、他の光ファイバーケーブル５３に入光されてしまうのを防止している。
【００３０】
次に、第１音声入力部２２および第２音声入力部２３について説明する。図４（ａ）に示すように、各音声入力部２２、２３は、Ｒｃｈコネクタ４２が接続され、Ｒｃｈの音声信号の入力を行うＲｃｈ入力端子７１と、Ｌｃｈコネクタ４３が接続され、Ｌｃｈの音声信号の入力を行うＬｃｈ入力端子７２（入出力端子）と、を有している。各入力端子７１、７２は、音声入力端子であり、ＲＣＡ端子であり、メス端子であり、且つアナログ信号の入力を行うアナログ端子である。
【００３１】
Ｒｃｈ入力端子７１は、一般的なＲＣＡジャックで構成されており、Ｒｃｈコネクタ４２のＲＣＡプラグが接続され、Ｒｃｈの音声信号（アナログ音声信号）を入力する。
【００３２】
一方、図４（ｂ）および（ｃ）に示すように、Ｌｃｈ入力端子７２は、Ｌｃｈコネクタ４３のＲＣＡプラグ６１が接続されるＲＣＡジャック８１と、４本の光ファイバーケーブル５３にそれぞれ光を入光する４つのＬＥＤ８２（光源部）と、ＲＣＡジャック８１および４つのＬＥＤ８２を支持する支持プレート８３と、４つのＬＥＤ８２を囲う角筒状の端子カバー８４と、端子カバー８４内を区画する複数の仕切り材８５と、を有している。ＲＣＡジャック８１は、支持プレート８３の中央に支持されており、各ＬＥＤ８２は、支持プレート８３の四隅に支持されている。また、仕切り材８５は、端子カバー８４と共に、各ＬＥＤ８２を囲うように配設されている。この仕切り材８５も、ＬＥＤ８２から１の光ファイバーケーブル５３に入光する光が、他の光ファイバーケーブル５３に入光されてしまうのを防止するのに寄与している。
【００３３】
図５（ａ）に示すように、Ｌｃｈコネクタ４３がＬｃｈ入力端子７２に接続されると、Ｌｃｈコネクタ４３のＲＣＡプラグ６１が、Ｌｃｈ入力端子７２のＲＣＡジャック８１に接続されると共に、４つのＬＥＤ８２が、４本の光ファイバーケーブル５３の端部にそれぞれ対面する。図５（ｂ）に示すように、この状態で、各ＬＥＤ８２を点灯させることで、各ＬＥＤ８２は、各光ファイバーケーブル５３に光を入光し、各光ファイバーケーブル５３を発光させる。これによって、第１音声ケーブル６または第２音声ケーブル７全体を発光させることができる。
【００３４】
制御部２６は、各ＬＥＤ８２を個々に制御可能に構成されており、ＤＪミキサー３に入力される音声信号や楽曲に合わせて、４つのＬＥＤ８２を一体に、または個々に制御することで、各音声入力部２２、２３に入力される音声信号に合わせた演出を行う（光源制御部）。具体的には、制御部２６は、入力される音声信号の音量に連動させて、４つのＬＥＤ８２の光量を変化させる。また、４本の光ファイバーケーブル５３を順番に点灯させると、光が進んでいるような効果が得られるので、制御部２６は、入力される音声信号のＢＰＭを解析し、解析して得られた音声信号のＢＰＭに連動させて、順番に点灯させる速度を変化させて、光の進む速度を変化させる。このような構成により、ブレイク（静かな部分）では弱く光らせ、激しくなる部分で強く光らせる、音楽のＢＰＭが早くなると光の進む速度が速くなる等の演出が可能になる。なお、楽曲の拍のタイミングに基づき、拍のタイミングだけ強く光らせるようにしても良い。また、第１音声ケーブル６で伝送される音声信号（第１音声入力部２２に入力される音声信号）に合わせて、第１音声ケーブル６の発光制御を行い、第２音声ケーブル７で伝送される音声信号（第２音声入力部２３に入力される音声信号）に合わせて、第２音声ケーブル７の発光制御を行うことが好ましい。
【００３５】
以上のような構成によれば、入光を受けて発光可能に構成された音声ケーブル６、７を用い、ＤＪミキサー３の音声入力部２２、２３に設けられたＬＥＤ８２により、当該音声ケーブル６、７を発光させる構成であるため、音声ケーブル６、７を利用して、人目を引く演出を行うことができる。特に、ＤＪミキサー３側の制御によって、音声ケーブル６、７の発光制御を行うことができるので、音声信号や楽曲に合わせた発光制御を行うことができ、音楽に合わせた演出を行うことができる。
【００３６】
なお、上記実施形態において、各Ｌｃｈ入力端子７２に音声ケーブル６、７が接続されているか否かを判定する判定部を、更に備え、制御部２６は、判定部により、各Ｌｃｈ入力端子７２に音声ケーブル６、７が接続されていないと判定された場合、ＬＥＤ８２を点灯（発光）させない構成であっても良い。すなわち、各Ｌｃｈ入力端子７２に音声ケーブル６、７が接続されていないと判定された場合、ＬＥＤ８２による発光動作をキャンセルする構成とする。かかる場合、音声ケーブル６、７が接続していないにもかかわらず、ＬＥＤ８２が点灯してしまう事態を避けることができる。なお、上記発光機能を有していない音声ケーブル６、７を接続している場合にも、ＬＥＤ８２を点灯させないことが好ましい。
【００３７】
また、上記実施形態においては、ＬＥＤ８２をＲＣＡジャック８１の外部に設けたが、ＬＥＤ８２をＲＣＡジャック８１に内蔵させる構成であっても良い。具体的には、ＲＣＡプラグ６１のピンとリングとの間の絶縁部と、ＲＣＡジャック８１のピン受けとリングとの間の絶縁部とを透明材料で構成し、両絶縁部（透明部材）を介して、ＲＣＡジャック８１に内蔵されたＬＥＤ８２から、光ファイバーケーブル５３に光を入光する構成とする。かかる構成によれば、Ｌｃｈ入力端子７２の配設面積を小さくすることができる。
【００３８】
さらに、上記実施形態においては、光ファイバーケーブル５３を発光させる色について言及していないが、同一色のＬＥＤ８２を用い、４本の光ファイバーケーブル５３を同一色で発光させる構成であっても良いし、異なる色のＬＥＤ８２を用い、４本の光ファイバーケーブル５３を異なる色で発光させる構成であっても良い。なお、１本の光ファイバーケーブル５３における複数本の光ファイバーを、異なる色で発光させる構成であっても良い。
【００３９】
またさらに、上記実施形態においては、光ファイバーケーブル５３を、２本のＲＣＡケーブル５１、５２に巻き付けて音声ケーブル６、７を構成したが、ＲＣＡケーブル５１、５２の信号線に、複数本の光ファイバーを巻き付けて音声ケーブル６、７を構成しても良い。
【００４０】
また、上記実施形態においては、複数本の光ファイバーを有する光ファイバーケーブル５３を利用して、音声ケーブル６、７を発光させる構成であったが、他の光導波路を利用して、音声ケーブル６、７を発光させる構成であっても良い。
【００４１】
なお、上記実施形態においては、ＤＪプレイヤー１、２から入力される音声信号の特徴（音量やＢＰＭ）に連動させて音声ケーブル６、７の発光制御を行う構成であったが、マスター出力の音量や各帯域（Ｈｉ／Ｍｉｄ／Ｌｏｗ）の音量、エフェクト付与の有無などのＤＪミキサー３が持つ情報に連動させて、音声ケーブル６、７の発光制御を行う構成であっても良い。また、ＬＡＮ経由などでＤＪプレイヤー１、２から、ＤＪプレイヤー１、２が持つ情報（例えば逆再生しているか否かの情報）を取得し、この情報に基づいて、音声ケーブル６、７の発光制御を行う構成であっても良い。
【００４２】
なお、上記実施形態においては、入力端子に、本発明を適用したが、出力端子に本発明を適用しても良い。かかる場合、当該出力端子で出力される音声信号に合わせて、発光制御を行うことが好ましい。
【００４３】
また、上記実施形態においては、ＲＣＡ端子に、本発明を適用したが、これに限るものではない。例えば、ＸＬＲ端子、フォーン端子、Ｄ端子、Ｓ端子、ＨＤＭＩ（High-Definition  Multimedia  Interface）端子または同軸端子に、本発明を適用しても良い。
【００４４】
さらに、上記実施形態においては、音声入力端子に、本発明を適用したが、映像入力端子に、本発明を適用しても良い。
【００４５】
またさらに、上記実施形態においては、メス端子に、本発明を適用したが、オス端子に本発明を適用しても良い。
【００４６】
また、上記実施形態においては、アナログ端子に、本発明を適用したが、デジタル端子に本発明を適用しても良い。
【００４７】
さらに、ＲＧＢ端子、コンポーネント端子またはコンポジット端子に、本発明を適用しても良い。
【００４８】
なお、上記実施形態においては、ＤＪ機器の一種であるＤＪミキサー３に本発明を適用したが、ＤＪプレイヤー１、２や他のＤＪ機器に本発明を適用しても良い。より言えば、音声ケーブルを接続する入出力端子を有する音響機器であれば、ＤＪ機器に限るものではなく、ＤＪ機器以外の音響機器（例えば電子楽器）に本発明を適用しても良い。さらに言えば、音声信号または映像信号を伝送するケーブルを接続する入出力端子を有する電子機器であれば、音響機器に限るものではない。例えば、映像機器に本発明を適用しても良いし、音響機器や映像機器以外の電子機器に本発明を適用しても良い。
【符号の説明】
【００４９】
３：ＤＪミキサー、  ６：第１音声ケーブル、  ７：第２音声ケーブル、  ５３：光ファイバーケーブル、  ７２：Ｌｃｈ入力端子、  ８２：ＬＥＤ。
【図１】
2016058278.tif 000003
【図２】
2016058278.tif 000004
【図３】
2016058278.tif 000005
【図４】
2016058278.tif 000006
【図５】
2016058278.tif 000007